(57)【特許請求の範囲】
【請求項１】
ガラスカバーと筐体とを備える手持ち電気製品であって、前記筐体は、矩形筐体であり、前記筐体の四隅には、ベゼルが設けられ、前記筐体の左側部及び右側部は、ベゼルを有さず、前記ガラスカバーは、前記筐体内に後退して組み込まれ、前記ガラスカバーの後面は、前記筐体に接続され、前記筐体の四隅に設けられた前記ベゼルは、前記ガラスカバーの後面より高く、
前記筐体の前記左側部及び前記右側部では、ベゼルが設けられていないことにより、前記ベゼルが設けられている部分と比べて、前記ガラスカバーの端部と前記筐体の端部との間の距離が短くなっており、
前記筐体の四隅は、全て弧状面取りであり、前記筐体の四隅に設けられた前記ベゼルは、全て弧状ベゼルであり、四隅に設けられた前記ベゼルの高さは、弧状面取りが筐体の左側部及び右側部と結合する下部から弧状面取りの中間点まで徐々に高くなり、これにより、前記ベゼルの高さが、前記中間点で前記弧状面取りの頂点に達することを特徴とする手持ち電気製品。
【請求項２】
前記筐体の上端部及び下端部はベゼルを有し、前記上端部及び下端部の前記ベゼルは、四隅に設けられた前記ベゼルと結合することを特徴とする請求項１に記載の手持ち電気製品。
【請求項３】
前記ガラスカバーの左側部及び右側部が、別々に前記筐体内に０．１ｍｍ〜０．５ｍｍ後退することを特徴とする請求項１または２に記載の手持ち電気製品。
【請求項４】
前記筐体の前記ベゼルの最高点は、前記ガラスカバーより０．１ｍｍ〜０．３ｍｍ高いことを特徴とする請求項１〜３のいずれか一項に記載の手持ち電気製品。
【請求項５】
前記筐体の前記ベゼルと前記ガラスカバーとの間に０．０２ｍｍ〜０．２ｍｍの隙間があることを特徴とする請求項１〜４のいずれか一項に記載の手持ち電気製品。
【請求項６】
ガラスカバーと筐体とを備える携帯電話であって、前記筐体は、矩形筐体であり、前記筐体の四隅には、ベゼルが設けられ、前記筐体の左側部及び右側部はベゼルを有さず、前記ガラスカバーは、前記筐体内に後退して組み込まれ、前記ガラスカバーの後面は、前記筐体に接続され、前記筐体の四隅に設けられた前記ベゼルは、前記ガラスカバーの後面より高く、
前記筐体の前記左側部及び前記右側部では、ベゼルが設けられていないことにより、前記ベゼルが設けられている部分と比べて、前記ガラスカバーの端部と前記筐体の端部との間の距離が短くなっており、
前記筐体の四隅は、全て弧状面取りであり、前記筐体の四隅に設けられた前記ベゼルは、全て弧状ベゼルであり、四隅に設けられた前記ベゼルの高さは、弧状面取りが筐体の左側部及び右側部と結合する下部から弧状面取りの中間点まで徐々に高くなり、これにより、前記ベゼルの高さが、前記中間点で前記弧状面取りの頂点に達することを特徴とする携帯電話。
【請求項７】
前記筐体の上端部及び下端部はベゼルを有し、前記上端部及び下端部の前記ベゼルは、四隅に設けられた前記ベゼルと結合することを特徴とする請求項６に記載の携帯電話。
【請求項８】
前記ガラスカバーの左側部及び右側部が、別々前記筐体内に０．１ｍｍ〜０．５ｍｍ後退することを特徴とする請求項６に記載の携帯電話。
【請求項９】
前記筐体の前記ベゼルの最高点は、前記ガラスカバーより０．１ｍｍ〜０．３ｍｍ高いことを特徴とする請求項８に記載の携帯電話。
【請求項１０】
前記筐体の前記ベゼルと前記ガラスカバーとの間に０．０２ｍｍ〜０．２ｍｍの隙間があることを特徴とする請求項９に記載の携帯電話。
【発明の詳細な説明】
【技術分野】
【０００１】
本願発明は、通信及び電気製品分野、特に、手持ち電気製品に関する。
【背景技術】
【０００２】
手持ち電気製品（例えば、携帯電話、タブレットコンピュータ）のスクリーンは、より大きく設計されており、製品の全体寸法もまたより大きくなっている。しかしながら、製品の過剰に大きな幅は、使用者が製品を把持し、操作することを不便にする。
【０００３】
手持ち製品のガラスカバー周辺の筐体のサイズは、製品自体のサイズにおおきる影響する。例えば、図１に示すように、００１は、タッチパネル（省略してＴＰ）のガラスカバーであり、００２は、フロント筐体のプラスチックのバッファーリングであり、００３は筐体（例えば、金属またはプラスチック）であり、及び、００４は接着剤である。図から、ガラスカバーの外縁上の１つのプラスチックのバッファーリングと、筐体と、があることがわかる。ガラスカバーの外縁上に、プラスチックのバッファーリング及び筐体の幅が増加される必要があり、これにより、製品全体の縁に表示領域からのサイズを大きくし、また製品全体の幅をさらに大きくする。さらに、多くの組立工程及び多数の取り外し可能部品を含む、ガラスカバー、フロント筐体のプラスチックのバッファーリング、及び、筐体等の複数の物体を組み立てる必要がある。別の例では、ガラスカバーは、プラスチックのフロント筐体に直接結合され得、このことは表示領域から製品全体の外形までのサイズをさらに大きくし、製品全体の幅をさらに大きくする。
【０００４】
従って、どのように手持ち電気製品の幅を小さくし、かつ、組立工程を減らすかが、主要な製造業者によって解決されるべき緊急課題である。
【発明の概要】
【発明が解決しようとする課題】
【０００５】
本願発明の実施形態は、より小さな幅とより少ない組立工程を有する手持ち電気製品を提供する。
【課題を解決するための手段】
【０００６】
第１の態様によると、手持ち電気製品は、手持ち電気製品は、ガラスカバー及び筐体を含み、筐体は矩形の筐体であり、筐体の四隅には、ベゼルが設けられ、かつ、筐体の左側部及び右側部はベゼルを有さない。ガラスカバーは、筐体内に後退して（retracted manner）組み込まれ、ガラスカバーの後面が筐体と結合し、かつ、筐体の四隅に設けられたベゼルは、ガラスカバーの後面より高く位置する。
【０００７】
第１の態様を参照に、第１の態様の第１の可能な実施方法では、筐体の上端部及び下端部はベゼルを有し、上端部及び下端部のベゼルは、四隅に設けられたベゼルと結合する。
【０００８】
第１の態様または第１の態様の第１の可能な実施方法を参照に、第１の態様の第２の可能な実施方法では、筐体の四隅は、すべて弧状ベゼルであり、四隅に設けられたベゼルの高さは、弧状面取り（arc chamfer）が筐体の左側部及び右側部と結合する下部から弧状面取りの中点まで徐々に高くなり、これにより、高さが中間点で弧状面取りの頂点に達する。
【０００９】
第１の態様、第１の態様の第１の実施可能方法、または、第１の態様の第２の実施可能方法を参照に、第１の態様の第３の実施可能方法では、ガラスカバーの左側部及び右側部が筐体内に０．１ｍｍ〜０．５ｍｍ後退する。
【００１０】
第１の態様、第１の態様の第１の実施可能方法、第１の態様の第２の実施可能方法、または、第１の態様の第３の実施可能方法を参照に、第１の態様の第４の実施可能方法では、筐体のベゼルの最高点はガラスカバーより０．１ｍｍ〜０．３ｍｍ高い。
【００１１】
第１の態様、第１の態様の第１の実施可能方法、第１の態様の第２の実施可能方法、第１の態様の第３の実施可能方法、または、第１の態様の第４の実施可能方法を参照に、第１の態様の第５の実施可能方法では、筐体のベゼルとガラスカバーとの間に０．０２ｍｍ〜０．２ｍｍの隙間がある。
【００１２】
第１の態様、第１の態様の第１の実施可能方法、第１の態様の第２の実施可能方法、第１の態様の第３の実施可能方法、第１の態様の第４の実施可能方法、または、第１の態様の第５の実施可能方法を参照に、第１の態様の第６の実施可能方法では、手持ち電気製品は携帯電話である。
【００１３】
従って、本願発明の実施形態における手持ち製品は、ガラスカバー及び筐体を含み、グラスカバーの左側部及び右側部は、筐体のベゼルによって覆われておらず、グラスカバーは、筐体内に後退して組み込まれ、このことにより、製品全体の幅を小さくでき、かつ、製品が側部から落ちた際にガラスカバーへの衝撃を軽減する。また、ベゼルが、筐体の四隅に設けられ、このことにより、四隅のベゼル構造体によって外部衝撃をさらに軽減でき、これにより、ガラスカバーの良好な衝撃保護をもたらす。さらに、プラスチックのバッファーリングが筐体とガラスカバーとの間に設けられず、これにより、組立工程及び材料を減らすことができ、これにより、コストを削減する。
【００１４】
本願発明の実施形態における技術的解決策をより明確に説明するために、下記に本願発明の実施形態を説明するために必要な添付図の簡単な説明を記す。明らかに、下記の説明において添付図は、単に、本願発明のいくつかの実施形態を示し、当業者は創造的な努力なしにこれらの添付図から別の図を引き出し得る。
【図面の簡単な説明】
【００１５】
【図１】先行技術における手持ち電気製品の概略構造図である。
【図２】本願発明の実施形態における手持ち電気製品の概略構造図である。
【図３】本願発明の実施形態における筐体の概略構造図である。
【図４ａ】本願発明の別の実施形態における手持ち電気製品の概略構造図である。
【図４ｂ】図４ａに示す手持ち電気製品の部分的な断面図である。
【図４ｃ】図４ａに示す手持ち電気製品の部分的な断面図である。
【発明を実施するための形態】
【００１６】
以下は、本願発明の実施形態の添付図を参照に明確かつ完全に本願発明の実施形態での技術的解決策を説明する。明らかに、説明される実施形態は、本願発明のすべての実施形態というよりむしろ一部である。創造的な努力なしに、本願発明の実施形態に基づいて当業者によって取得し得るすべての他の実施形態は、本願発明の保護範囲内に含まれるべきである。
【００１７】
本願発明の実施形態における手持ち電気製品は、タブレットコンピュータ、携帯電話、ゲームコンソール、または同等物であり得る。携帯電話が添付図では示されるが、実施形態一式がそれに制限されるものではない。
【００１８】
本願発明の実施形態における筐体の左側部及び右側部は、電気製品が正常に把持される際の筐体の左側部及び右側部を意味し、また、筐体の上端部及び下端部は、電気製品が正常に把持される際の上端部及び下端部を意味する。電気製品が回転機能を有する場合、筐体の左側部、右側部、上端部、及び下端部は、電気製品が殆どの消費者の使用習慣に応じて使用される際の筐体の左側部、右側部、上端部、及び下端部を意味する。
【００１９】
本願発明の実施形態における手持ち電気製品は、ガラスカバー、筐体、及び、筐体に設けられるベゼルの他に別の部品を含む。
【００２０】
図２は、本願発明の実施形態における手持ち電気製品１００の概略構造図である。図２に示すように、手持ち電気背品は、ガラスカバー１０１及び筐体１０２を含み、筐体１０２は矩形筐体であり、ベゼル１０３が筐体１０２の四隅に設けられ、かつ、ガラスカバー１０１は、筐体１０２内に後退して組み込まれ、グラスカバー１０１も後面が筐体１０２と結合し、例えば、ガラスカバー１０１の後面は、筐体１０２と接着によって結合し、また、筐体１０２の四隅に設けられたベゼルは、グラスカバー１０１の後面より高い。
【００２１】
本願発明の実施形態における筐体は、電気製品の前筐体であり得、ガラスカバーは、前筐体の上面内に組み込まれ得、かつ、後筐体またはバッテリーカバーは前筐体の低面と接続され得る。また、筐体は、電気製品の単一の筐体であり得、ガラスカバーは、筐体の上部内に組み込まれ、かつ、筐体の底面は、製品のチップ及びバッテリーなどの別の部品に適合する。本願発明の実施形態におけるベゼルは、筐体の一部であり、ベゼルは筐体の別の部品と一体成型される、または、接着によって筐体の別の部品と接続され得る。ガラスカバーが筐体内に組み込まれ、かつ、ガラスカバーの後面が筐体に結合される際、ベゼルは、ガラスカバーの後面をより高くなり得る。
【００２２】
図３は、本願発明の実施形態における筐体の概略構造図である。図から、筐体の４つの丸面取りがベゼルに設けられ、４つのベゼル以外の筐体の他の部品は中空の板構造であり、ガラスカバーの後面が、板の上面に結合されることが分かる。図３は本願発明のこの実施形態における前筐体のみを示すが、本願発明のこの実施形態における筐体は、本願発明のこの実施形態に限定されることなく、別の構造の前筐体、または、後筐体であり得ることが理解されるべきである。
【００２３】
本願発明のこの実施形態では、筐体１０２の左側部及び右側部はベゼル手段を有さず、ガラスカバー１０１の左側部及び右側部は、筐体１０２のベゼルによって覆われていないことが理解されるべきである。本願発明のこの実施形態では、ガラスカバー１０１の左側部及び右側部は、０．１ｍｍ〜０．５ｍｍ筐体内に別々に後退し得、例えば、ガラスカバー１０１の左側部と対応する筐体１０２の左側部との間の距離は０．１ｍｍ〜０．５ｍｍである。
【００２４】
本願発明のこの実施形態では、筐体１０２の四隅に設けられたベゼル１０３は、ガラスカバー１０１の後面より高い。従って、電気製品を落とした際のガラスカバー１０１への衝撃はさらに軽減される。本願発明のこの実施形態では、筐体１０２の四隅に設けられたベゼル１０３は、ガラスカバー１０１の前面より、低くも、平行でも、または、高くもあり得る。例えば、筐体１０２の四隅に設けられたベゼル１０３の最高点は、ガラスカバー１０１より高い、または、ベゼル１０３すべてガラスカバー１０１より高い。例えば、筐体１０２の四隅に設けられたベゼルの最高点は、ガラスカバーより０．１ｍｍ〜０．３ｍｍ高い。
【００２５】
本願発明のこの実施形態では、筐体１０２の四隅は、弧状面取りであり、筐体の四隅の設けられたベゼルは全て弧状ベゼルであり、筐体の四隅に設けられたベゼルの高さは、弧状面取りが筐体の左側部及び右側部と結合する下部から弧状面取りの中点まで徐々に高くなり、これにより、高さが中間点で弧状面取りの頂点に達する。これにより、ベゼルの高さが滑らかに変化し、電気製品をより美的にする。例えば、電気製品の左側部及び右側部の弧状ベゼルの下部でのベゼルは、ガラスカバーの後面と平行であり、中間点のベゼルは、ガラスカバー１０１より０．１ｍｍ〜０．３ｍｍ高い。
【００２６】
本願発明のこの実施形態では、筐体１０２の四隅に設けられるベゼル１０３とガラスカバー１０１との間に、例えば、０．０２ｍｍ〜０．２ｍｍの隙間がある。
【００２７】
本願発明のこの実施形態では、ベゼル１０３は、筐体１０２の上端部及び下端部にも設けられ得る。上端部及び下端部のベゼル１０３は、四隅に設けられたベゼル１０３と接続される。例えば図３に示すように、筐体１０２の上端部及び下端部には、ベゼル１０３が設けられ、上端部及び下端部のベゼル１０３の高さは、弧状面取りの中間点でのベゼル１０３の高さと同一であり得る。上端部及び下端部のベゼル１０３の最高端は、ガラスカバー１０１に向けて徐々に低くなり、ベゼル１０３の最低点の高さは、ガラスカバー１０１の後面の高さと平行であり得、ベゼル１０３ｔとガラスカバー１０１との間には０．０２ｍｍ〜０．２ｍｍの隙間があり得る。理解するのを容易にするために、下記は、図４ａ及び図４ｂを参照にする詳細な説明である。図４ａは、本願発明の実施形態における手持ち電気製品２００の概略構造図であり、手持ち電気製品２００は、ガラスカバー２０１、筐体２０２、及び筐体に設けられるベゼル２０３を含む。
【００２８】
図４ｂは、図４ａの断面領域Ａの詳細図であり、Ａは電気製品２００の左側部及び右側部上である。ベゼルが、Ａおいて筐体のガラスカバー２０１の外側に対応する領域には設けられず、この領域のガラスカバー２０１は、図に示すように、筐体２０２内に例えば０．１ｍｍ〜０．５ｍｍの所定の距離後退することが分かる。従って、分かるように、ここで製品の幅はとても小さい。さらに、製品が横に落ち、ガラスカバー２０１が所定距離筐体２０２内に後退することで、ガラスカバー２０１への衝撃を軽減できる。
【００２９】
図４ｃは、図４ａの断面領域Ｂの詳細図であり、Ｂは、電気製品２００の上端部及び下端部である。ベゼル２０３が、Ｂおいて筐体のガラスカバー２０１の外側に対応する領域に設けられ、ベゼル２０３とガラスカバー２０１との間には、図に示すように、例えば０．０２ｍｍ〜０．２ｍｍの隙間があることが分かる。ベゼルの最高点は、ガラスカバーの上面より高く、例えば０．１ｍｍ〜０．３ｍｍ上面より上であり、ここでのベゼルは、筐体の中空板状構造と結合され、もちろん、ベゼルは、中空板状構造と一体成型されてもよい。上端部及び下端部には、ベゼル２０３が設けられるが、上端部及び下端部は部品を保持するように頻繁に使用されないので、上端部及び下端部に設けられるベゼルは、電気製品の耐衝撃性を向上できるほうがよい。上端部及び下端部の隙間は、ガラスカバーへの衝撃を軽減し、組み立てを容易にすることができる。
【００３０】
従って、本願発明の実施形態における手持ち電気製品は、ガラスカバー及び筐体を含み、ガラスカバーの左側部及び右側部は筐体のベゼルによって覆われず、かつ、ガラスカバーは筐体内に後退して組み込まれる。これにより、製品全体の幅を減らし、かつ、製品が横に落ちた際のガラスカバーへの衝撃を軽減できる。また、ベゼルは、筐体の四隅に設けられ、これにより、ガラスカバーの良好な衝撃保護を提供する。さらに、筐体とガラスカバーとの間にプラスチックのバッファーリングは設けられず、これにより、組み立て手順と材料を減らすことができ、コストを削減できる。
【００３１】
本願発明は、添付図を参照及び例示的実施形態との組み合せと伴に詳細に説明されたが、本願発明をそれらに限定するものではない。様々な同等の変更または代替が、本願発明の精神及び本質から逸脱することなく当業者には実施可能であり、この変更または代替は本願発明の範囲に含まれるべきである。
【図１】
0006008355.tif 000002
【図２】
0006008355.tif 000003
【図３】
0006008355.tif 000004
【図４ａ】
0006008355.tif 000005
【図４ｂ】
0006008355.tif 000006
【図４ｃ】
0006008355.tif 000007